(57)【要約】【課題】均一料金の課金形態をとる上で、ＩＣカードを入換えるような不正行為を防止しつつ短区間利用割引や乗継割引などの割引サービスを実現する。【解決手段】この料金収受システムは、有料道路に車両が進入または退出する料金所に設置され、車両に搭載された車載器６から前回利用した料金所番号と今回利用のカードＩＤと車載器６に予め保存しておいた挿抜前のカードＩＤとを取得する情報取得手段としてのアンテナ装置４２ａと、有料道路の各料金所（自料金所）を基点とした割引対象料金所番号を記憶した料金テーブル３０と、この料金テーブル３０に記憶されている割引対象料金所番号に車載器６から取得した前回利用の料金所番号が合致し、かつ車載器６から取得した今回利用のカードＩＤと車載器６に予め保存しておいた挿抜前のカードＩＤとが一致した場合、通行料金を割引金額で課金する車線制御装置４１とを具備する。【選択図】図１
2006236224.tif 000002
【特許請求の範囲】
【請求項１】
通行料金を支払うためのＩＣカードを挿抜自在に装着した車載器を搭載した車両が有料道路の料金所またはチェックバリアを通過する際に前記車載器から前記ＩＣカードの情報を取得して通行料金を収受する料金収受システムにおいて、
前記有料道路の料金所またはチェックバリアに設置され、前記車載器より前回利用した料金所情報と前記ＩＣカードが挿抜された際に前記車載器に予め保存しておいたカード挿抜前後のカード固有情報とを取得する情報取得手段と、
前記有料道路の各料金所を基点とした割引対象の料金所情報を記憶した割引対象料金所情報記憶手段と、
前記情報取得手段が前記車載器より取得したＩＣカード挿抜前後のカード固有情報が一致し、かつ前記情報取得手段が前記車載器から取得した前回利用の料金所情報が、前記割引対象料金所情報記憶手段に登録された割引対象の料金所情報に該当した場合、割引料金を適用して課金処理する手段と
を具備したことを特徴とする料金収受システム。
【請求項２】
課金処理を行った料金所を通過した場合、未通過を示す通過情報を前記車載器に記憶する一方、有料道路に進入する料金所および所定の割引対象料金所を通過した場合、通過済みを示す通過情報を前記車載器に記憶する手段を具備したことを特徴する請求項１記載の料金収受システム。
【請求項３】
有料道路を利用する車両に搭載され、通行料金を支払うためのＩＣカードを挿抜自在に装着し、前記車両が有料道路の料金所またはチェックバリアを通過する際に前記ＩＣカードから予め読み出しておいたカード固有情報を路側機へ送信して通行料金を支払う車載器において、
前記ＩＣカードに記憶されていたカード固有情報を取得するカード固有情報取得手段と、
前記カード固有情報取得手段より取得されたカード固有情報を記憶するための第１及び第２の記憶手段と、
前記料金所またはチェックバリアを通過済みか未通過かを示す通過情報を記憶する通過情報記憶手段と、
前記ＩＣカードが装着されたとき、前記通過情報記憶手段の通過情報を確認し、通過済みの場合、前記第１記憶手段にカード固有情報を記憶する一方、未通過の場合は、前記第１及び第２の記憶手段にカード固有情報を記憶する手段と
を具備したことを特徴とする車載器。
【請求項４】
有料道路を利用する車両に搭載され、通行料金を支払うためのＩＣカードを挿抜自在に装着し、前記車両が有料道路の料金所またはチェックバリアを通過する際に前記ＩＣカードから予め読み出しておいたカード固有情報を路側機へ送信して通行料金を支払う車載器において、
前記ＩＣカードに記憶されていたカード固有情報を取得するカード固有情報取得手段と、
前記カード固有情報取得手段より取得されたカード固有情報を記憶するための第１及び第２の記憶手段と、
前記料金所またはチェックバリアを通過済みか未通過かを示す通過情報が記憶された通過情報記憶手段と、
前記ＩＣカードが装着されたとき、前記通過情報記憶手段の通過情報を確認し、通過済みの場合、前記第１記憶手段にカード固有情報を記憶する一方、未通過の場合は、前記第１及び第２の記憶手段にカード固有情報を記憶する手段と、
前記第１及び第２の記憶手段にそれぞれ記憶されたカード固有情報を比較し、不一致の場合、その旨を報知する手段と
を具備したことを特徴とする車載器。
【請求項５】
有料道路を利用する車両に搭載された車載器に挿抜自在に装着され、前記車両が有料道路の料金所またはチェックバリアを通過する際に前記車載器によりカード固有情報が読み出されて通行料金を支払うＩＣカードにおいて、
出口割引の対象となる所定の入口料金所で課金処理した結果として前記車載器が得た割引対象の料金所情報を記憶する割引対象料金所情報記憶手段を具備したことを特徴とするＩＣカード。
【請求項６】
通行料金を支払うためのＩＣカードを挿抜自在に装着した車載器を搭載した車両が有料道路の料金所またはチェックバリアを通過する際に前記車載器から前記ＩＣカードの情報を取得して通行料金を収受する料金収受方法において、
前記有料道路の料金所またはチェックバリアにおいて、前記車載器より前回利用した料金所情報と前記ＩＣカードが挿抜された際に前記車載器に予め保存しておいたカード挿抜前後のカード固有情報とを取得する情報取得ステップと、
前記情報取得ステップで前記車載器より取得したＩＣカード挿抜前後のカード固有情報が一致し、かつ前記情報取得ステップで前記車載器から取得した前回利用の料金所情報が、予め登録された割引対象の料金所情報に該当した場合、割引料金を適用して課金処理するステップと
を有することを特徴とする料金収受方法。
【発明の詳細な説明】
【技術分野】
【０００１】
本発明は、例えば有料道路、有料橋などの有料の通行路に導入される料金収受システム、車載器、ＩＣカード、料金収受方法に関する。
【背景技術】
【０００２】
有料道路における渋滞緩和の一つの手段として、ノンストップ自動料金収受システム（以下ＥＴＣ（Electronic Toll Collection）システムと称す）が実用化されている。
【０００３】
ＥＴＣシステムは、料金所の各車線（レーン）に設置された、車両の進入や発進を検知するセンサ装置、車載器との無線通信を行うアンテナ装置、車両の発進を制御する発進制御装置、各機器の状態を監視する車線監視盤、これらの総合的な制御及び、ＥＴＣ車両の通行料金を計算・課金する車線制御装置等から構成されるシステムである。
【０００４】
通行料金を収受する手段としては、ＩＣカードをセットした車載器を搭載した車両が料金所に進入したことをきっかけに、車載器−アンテナ装置間で無線通信を行い、車線制御装置が、車載器から取得した車両情報等を基に通行料金を徴収（課金処理）する。これにより、通行車両は、料金支払いのために料金所に一旦停止すること無く料金所を通過することができる。
【０００５】
このようなＥＴＣシステムには、車両が有料道路を通行した距離に応じた課金を行う対距離制のシステムと、有料道路を利用する際に一定額の通行料金を徴収する定額制のシステム（均一料金システム）とがある。均一料金システムは、有料道路を利用する際の通行料金が一定額のシステムであり、入口料金所あるいは出口料金所のいずれかで一定額の料金を支払うことで道路を利用できる。
【０００６】
ところで、均一料金のシステムを導入している有料道路の中には、出入口（の料金所）がいくつもあるケースがある。この場合、車両が有料道路の初めの料金所から進入し次の料金所から退出するといった短区間の利用でも定額、最後の料金所で退出しても定額であり、進入から退出までの区間が遠いほど、ドライバーとしては得をした気分になる。
【０００７】
その反面、隣接の料金所毎（区間毎）に乗り降りをしなければならないような場合、一回の乗り降り毎に定額の料金が徴収されてしまうため、このような用途には高上がりとなる。
【０００８】
さらに、目的の料金所の進行方向の出口（例えば下り車線）だけが混雑（渋滞）しているような場合、渋滞を避けるために上記同様にわざわざ次の料金所まで乗り越してその料金所から戻り、目的の料金所の逆側の出口（例えば上り車線）から降りることもある。
【０００９】
また、均一料金の有料道路において、運営元の都合（保守工事など）や事故の処理のために、ある区間が通行止になるケースがある。
【００１０】
このような場合、従来型の通行券方式の料金収受システム、つまり有料道路の入口あるいは出口の料金所で通行券と現金の受け渡しで料金を徴収するシステムでは、通行止となる区間の手前の料金所で車両を有料道路から退出させる際に、料金所の収受員が証明書などを配布し、通行止区間の先の料金所から車両が有料道路に進入する際に、その証明書をドライバーが収受員に見せることで通行料金を割り引く乗り継ぎ割引サービスが行われる。また、短区間の利用の際に通行料金を割り引く短区間利用割引サービスも考えられる。
【００１１】
均一料金の課金形態をとる有料道路において、ＥＴＣシステムのＩＣカードを利用して通行料金の割引を行う先行技術としては、例えば予め割引有効範囲の料金所の情報を記憶しておき、車載器から取得した前回利用の料金所情報と比較して利用料金について割引を有効とする範囲をチェックして、割引有効範囲と確認された場合に通行料金を割り引いて課金する料金収受システムがある（例えば特許文献１参照）。
【特許文献１】特開２００２−２１６１８２号公報
【発明の開示】
【発明が解決しようとする課題】
【００１２】
従来の料金収受システムの場合、ＩＣカードに保持されている通行履歴の中の前回利用料金所情報（料金所番号と時刻など）と今回の料金所情報とを比較して割引可否を判定するだけであり、それ以外に、例えば料金所通過後の車載器のデータとＩＣカードのデータとの整合性は行っておらず、途中でＩＣカードの入換えが可能である。
【００１３】
また、対距離料金の有料道路の場合は、料金所通過時に有料道路進入情報や車載器ＩＤをＩＣカードに書き込んでいるため、ＩＣカードの入換えは可能であるものの不正は困難となっている。
【００１４】
このように均一料金の課金形態をとる料金収受システムにおいては、料金所通過後に車載器のデータとＩＣカードのデータとの整合性をとっていないこと、割引料金の適用判定に料金所情報を利用していることから、割引非対象の入口または出口料金所を通過したにも関わらず割引対象入口または出口料金所通過済のＩＣカードに入換えることが可能であり、不正に割引料金での通行が可能となるという問題があった。
【００１５】
本発明はこのような課題を解決するためになされたもので、有料道路の通行料金を均一料金で徴収する課金形態をとる上で、ＩＣカードを入換えるような不正行為を防止しつつ短区間利用割引や乗継割引などの割引サービスを実現できる料金収受システム、車載器、ＩＣカード、料金収受方法を提供することを目的としている。
【課題を解決するための手段】
【００１６】
上記した目的を達成するために、本発明の料金収受システムは、通行料金を支払うためのＩＣカードを挿抜自在に装着した車載器を搭載した車両が有料道路の料金所またはチェックバリアを通過する際に前記車載器から前記ＩＣカードの情報を取得して通行料金を収受する料金収受システムにおいて、前記有料道路の料金所またはチェックバリアに設置され、前記車載器より前回利用した料金所情報と前記ＩＣカードが挿抜された際に前記車載器に予め保存しておいたカード挿抜前後のカード固有情報とを取得する情報取得手段と、前記有料道路の各料金所を基点とした割引対象の料金所情報を記憶した割引対象料金所情報記憶手段と、前記情報取得手段が前記車載器より取得したＩＣカード挿抜前後のカード固有情報が一致し、かつ前記情報取得手段が前記車載器から取得した前回利用の料金所情報が、前記割引対象料金所情報記憶手段に登録された割引対象の料金所情報に該当した場合、割引料金を適用して課金処理する手段とを具備したことを特徴とする。
上記料金収受システムにおいて、課金処理を行った料金所を通過した場合、未通過を示す通過情報を前記車載器に記憶する一方、有料道路に進入する料金所および所定の割引対象料金所を通過した場合、通過済みを示す通過情報を前記車載器に記憶する手段を具備したことを特徴する。
本発明の車載器は、有料道路を利用する車両に搭載され、通行料金を支払うためのＩＣカードを挿抜自在に装着し、前記車両が有料道路の料金所またはチェックバリアを通過する際に前記ＩＣカードから予め読み出しておいたカード固有情報を路側機へ送信して通行料金を支払う車載器において、前記ＩＣカードに記憶されていたカード固有情報を取得するカード固有情報取得手段と、前記カード固有情報取得手段より取得されたカード固有情報を記憶するための第１及び第２の記憶手段と、前記料金所またはチェックバリアを通過済みか未通過かを示す通過情報を記憶する通過情報記憶手段と、前記ＩＣカードが装着されたとき、前記通過情報記憶手段の通過情報を確認し、通過済みの場合、前記第１記憶手段にカード固有情報を記憶する一方、未通過の場合は、前記第１及び第２の記憶手段にカード固有情報を記憶する手段とを具備したことを特徴とする。
本発明の車載器は、有料道路を利用する車両に搭載され、通行料金を支払うためのＩＣカードを挿抜自在に装着し、前記車両が有料道路の料金所またはチェックバリアを通過する際に前記ＩＣカードから予め読み出しておいたカード固有情報を路側機へ送信して通行料金を支払う車載器において、前記ＩＣカードに記憶されていたカード固有情報を取得するカード固有情報取得手段と、前記カード固有情報取得手段より取得されたカード固有情報を記憶するための第１及び第２の記憶手段と、前記料金所またはチェックバリアを通過済みか未通過かを示す通過情報が記憶された通過情報記憶手段と、前記ＩＣカードが装着されたとき、前記通過情報記憶手段の通過情報を確認し、通過済みの場合、前記第１記憶手段にカード固有情報を記憶する一方、未通過の場合は、前記第１及び第２の記憶手段にカード固有情報を記憶する手段と、前記第１及び第２の記憶手段にそれぞれ記憶されたカード固有情報を比較し、不一致の場合、その旨を報知する手段とを具備したことを特徴とする。
本発明のＩＣカードは、有料道路を利用する車両に搭載された車載器に挿抜自在に装着され、前記車両が有料道路の料金所またはチェックバリアを通過する際に前記車載器によりカード固有情報が読み出されて通行料金を支払うＩＣカードにおいて、出口割引の対象となる所定の入口料金所で課金処理した結果として前記車載器が得た割引対象の料金所情報を記憶する割引対象料金所情報記憶手段を具備したことを特徴とする。
本発明の料金収受方法は、通行料金を支払うためのＩＣカードを挿抜自在に装着した車載器を搭載した車両が有料道路の料金所またはチェックバリアを通過する際に前記車載器から前記ＩＣカードの情報を取得して通行料金を収受する料金収受方法において、前記有料道路の料金所またはチェックバリアにおいて、前記車載器より前回利用した料金所情報と前記ＩＣカードが挿抜された際に前記車載器に予め保存しておいたカード挿抜前後のカード固有情報とを取得する情報取得ステップと、前記情報取得ステップで前記車載器より取得したＩＣカード挿抜前後のカード固有情報が一致し、かつ前記情報取得ステップで前記車載器から取得した前回利用の料金所情報が、予め登録された割引対象の料金所情報に該当した場合、割引料金を適用して課金処理するステップとを有することを特徴とする。
【００１７】
本発明では、車載器より取得したＩＣカード挿抜前後のカード固有情報が一致し、かつ車載器から取得した前回利用の料金所情報が、予め登録された割引対象の料金所情報に該当した場合、割引料金を適用して課金処理する。それ以外では通行料金の割引を適用しない。
【発明の効果】
【００１８】
以上説明したように本発明によれば、有料道路の通行料金を均一料金で徴収する課金形態をとる上で、ＩＣカードを入換えるような不正行為を防止しつつ短区間利用割引や乗継割引などの割引サービスを実現できる。
【発明を実施するための最良の形態】
【００１９】
以下、本発明の実施の形態を図面を参照して詳細に説明する。
図１は有料道路において短区間利用割引サービスを行う際の１つの形態を示す図、図２は有料道路において乗継割引サービスを行う際の１つの形態を示す図である。
図１に示すように、この有料道路は、直線的な道路であり、有料道路には、複数の入口料金所Ａ，Ｂと出口料金所Ｃが配置されている。各料金所は、例えば入口料金所Ａから車両の進行方向に入口料金所Ｂ→出口料金所Ｃという順で設置されている。
入口料金所Ａと出口料金所Ｃとの区間距離は一定以上の距離があるのに対して、入口料金所Ｂと出口料金所Ｃとの区間距離は一定の距離以下であり、入口料金所Ｂから進入した車両が出口料金所Ｃで退出する場合は通行料金を割引する対象とされている。
この有料道路は、車両が有料道路を利用する際に一定額（例えば６００円などの均一料金）を有料道路の入口料金所Ａまたは入口料金所Ｂで徴収する課金形態（以下均一システムと称す）をとるものである。
【００２０】
この例の有料道路において、入口料金所Ａまたは入口料金所Ｂにて車両が一定額（６００円）を支払った後、出口料金所Ｃで退出する場合に、出口料金所Ｃにて、割引対象の入口料金所Ｂから進入した車両に対してのみマイナス課金、例えば２００円などを収受済み料金より減額（−２００円）することで、利用者が短区間だけでも有料道路を利用し易くすることができる。すなわち、この例は、有料道路の出口で、近隣の入口で支払った通行料金のうちの一部を払い戻す短区間利用割引サービスを実現する場合の例である。
【００２１】
図２に示すように、この有料道路は、コの字形状の道路であり、有料道路には、複数の入口料金所Ｄ，Ｆ，Ｇと乗継出口の料金所Ｅ（以下乗継出口料金所Ｅと称す）が配置されている。各料金所は、例えば入口料金所Ｄから車両の進行方向に出口料金所Ｅ→入口料金所Ｆ→入口料金所Ｇという順で設置されている。入口料金所Ｄ，Ｆは、通常の入口料金所である。入口料金所Ｇは、有料道路を乗継出口料金所Ｅから一度退出した車両が再入場する際は乗継入口料金所として機能し、それ以外の車両に対しては通常の入口料金所として機能する。
【００２２】
この有料道路は、車両が有料道路を利用する際に一定額（例えば６００円などの均一料金）を有料道路の入口料金所Ｄ，Ｆ，Ｇのいずれかで徴収する均一システムをとるものである。
有料道路の乗継出口料金所Ｅから入口料金所Ｆまでの区間において、工事のため通行止めとしたり渋滞が発生したことで、有料道路を運営する側で乗継割引サービスを実施するものとする。
【００２３】
このように乗継割引サービスは、有料道路のある区間が工事中や渋滞のため有料道路をその区間の前の出口料金所で一度降りてその区間を過ぎたところの別の入口料金所から有料道路内に入る必要がある場合に、乗継出口料金所にて出口通過情報（出口退出時刻など）を含む出口情報（出口処理結果の情報）をＩＣカードに記録し再進入する乗継入口料金所にてＩＣカードに記録されている直前の出口情報の正当性を判定し、出口情報の正当性が確認され、かつ直前に乗継出口料金所から退出した車両についてのみ通常の均一料金より安い割引料金（例えば３００円など）を課金するサービスである。
【００２４】
上記各サービスを実現するために、有料道路の入口料金所および出口料金所には、車両に搭載される車載器に設置されたＩＣカードの情報を読み出し、その情報を基に料金収受処理を行い、その処理結果をＩＣカードに書き込むことで、現金を用いない料金徴収処理を行う料金収受システムが設置されている。なお、有料道路には入口料金所および出口料金所の他にチェックバリアなどのチェックポイント（ルートチェックに特化した料金所といっても良い）が設けられており、ここでもＩＣカードに通過情報などが書き込まれる。
【００２５】
図３に示すように、料金収受システムは、有料道路の入口及び出口の料金所の各料金収受用の車線（以下レーンと称す）に設置された料金所機器としてのＥＴＣ路側機器（以下路側機と称す）と、車線監視盤４５、料金収受端末４６などのブース内機器と、料金計算所に設置されたデータ処理装置４７と、車両に搭載されたＥＴＣ車載器６（以下車載器６と称す）と、この車載器６にセットされたＩＣカード７ａ、または自身が無線機能を備えた非接触式のＩＣカード７ｂのいずれか一方とから構成されている。
すなわち、この料金収受システムは、通行料金を支払うためのＩＣカード７ａを挿抜自在に装着した車載器６を搭載した車両が有料道路の料金所またはチェックバリアを通過する際に車載器６からＩＣカード７ａのカード情報と車載器情報を取得して通行料金を収受するものである。
車載器６は、通行料金を支払うためのＩＣカード７ａを挿抜自在に装着し、車両が有料道路の料金所またはチェックバリアを通過する際にＩＣカード７ａから予め読み出しておいたカード情報を路側機へ送信して通行料金を支払う処理（課金処理）を行うものである。車載器６の内部構成の説明については図４で詳述する。
【００２６】
ＩＣカード７ａおよびＩＣカード７ｂには、例えばＥＥＰＲＯＭなどの不揮発性のメモリと、このメモリに対する情報の書込み及び読出しを制御する制御部（ＣＰＵなど）とが備えられている。詳しくは、図５、図６で説明する。
【００２７】
ＩＣカード７ａおよびＩＣカード７ｂのメモリには、予め利用者が有料道路を利用したときの支払い（決済）に関する情報とカードを特定または識別するための識別情報としてのＩＣカード契約情報（カードＩＤなど）が記憶されている他、有料道路を利用する毎に路側機から送信された課金情報、料金所情報、通過時刻などが車載器６によって記憶される。
【００２８】
ＩＣカード７ａおよびＩＣカード７ｂの制御部は、車両が料金所を通過した時刻の情報を入口情報または出口情報としてメモリに記憶する。また、制御部は、車両が前回利用した入口情報または出口情報を含むカード情報をメモリから読み出して車載器６に渡す。車載器６は、ＩＣカードより受け取ったカード情報を記憶しておき、路側機と通信可能になったときに路側機へ送信する。制御部は、路側機の側で処理した結果の情報を車載器６を通じて受け取りメモリに記憶する。
【００２９】
路側機は、車線制御装置４１、アンテナ装置４２ａ，４２ｂ、センサ装置４３、発進制御装置４４などである。センサ装置４３は、料金所の各車線（レーン）入口、途中、出口などに設置され、車両の進入やレーン内の位置、発進を検知するものである。
【００３０】
アンテナ装置４２ａは、センサ装置４３によって検知された車両の中でＥＴＣ車両の車載器６と無線通信を行い、ＩＣカード７ａから車載器６を通じてカード情報を取得、および車載器６を通じてＩＣカード７ａへ情報を書き込むものである。
アンテナ装置４２ｂは、ＩＣカード７ｂと無線通信を行い、ＩＣカード７ｂからカード情報を取得、およびＩＣカード７ｂへ情報を書き込むものである。
発進制御装置４４は、レーンに進入し車線制御装置４１に通過を許可された車両に対してレーンの出口を開放する一方、料金収受処理の過程で問題のある車両に対してレーンの出口を閉鎖するなど、レーンからの車両の発進許可／発進不許可（停止）を制御するものである。
【００３１】
車線監視盤４５は、各機器の状態を監視し、異常が発生したときに係員に通知したり、料金テーブルの更新などのイベント発生時に各車線制御装置４１へ、更新情報を配信するものである。
料金収受端末４６は、ＩＣカード７ａ，７ｂを持たない利用者、またはカード処理異常となった場合に回数券や現金のやりとりにより収受員が車両の運転者などから通行料金を収受するための料金計算、レシート発行などを行う装置である。
【００３２】
車線制御装置４１は、料金所の各レーン毎に設置される機器であり、ＥＴＣ運用処理機能、ＩＣカード処理機能、オンライン通信処理機能、監視制御処理機能、セキュリティ処理機能などを備えており、アンテナ装置４２ａ，４２ｂ、センサ装置４３、発進制御装置４４、車線監視盤４５等の総合的な制御とＥＴＣ車両の通行料金の計算・課金（料金収受処理）を行うものである。
車線制御装置４１は、課金処理を行った料金所を通過した場合、「未通過」を示す通過情報を車載器６に記憶する一方、有料道路に進入する入口料金所および所定の割引対象料金所（例えば乗継出口料金所など）を通過した場合、「通過済み」を示す通過情報を車載器６に記憶する。
車線制御装置４１及びアンテナ装置４２ａは、有料道路の料金所またはチェックバリアのレーンに設置されるものであり、ここを通過する車両の車載器６より前回利用した料金所情報とＩＣカード７ａが挿抜された際に車載器６に予め保存しておいたカード挿抜前後のカード情報とを取得する情報取得手段として機能する。
【００３３】
ＩＣカード処理機能としては、ＩＣカード７ｂから得たカード情報と自身のメモリにある情報（料金テーブルなど）とを基に料金収受処理を行いその結果で発進制御装置４４の開閉制御を行う機能である。また、レーンに進入した車両がＥＴＣ車ではあるものの機器の故障あるいは無線障害などのために車載器６との無線通信が不可能な場合に、運転者が車載器６からＩＣカード７ａを取り出して収受員に手渡し、収受員がそのＩＣカード７ａを料金収受端末４６にセットして料金収受処理を行った結果の通知を受けて発進制御装置４４の開閉制御を行う機能である。
【００３４】
また、車線制御装置４１は、ＣＰＵなどの制御部と、メモリなどの記憶部とを備えており、料金収受端末４６、データ処理装置４７とのＩ／Ｆ機能を有し、ＥＴＣ進入車両情報及び処理状態、課金結果、集計データ等のデータ送受信を行う。
【００３５】
車線制御装置４１のメモリには、料金テーブル３０が設定されている。この料金テーブル３０には、普通車、大型車などの車種毎に一定の通行料金と、この料金所（自料金所）を基点とした他の料金所との関係（料金所が割引対象か否か）による割引料金とが登録されている。車線制御装置４１が配置されている料金所が入口料金所の場合は、自料金所が通常の入口か割引対象の入口かを示す情報が料金テーブル３０に設定されている。
【００３６】
この例では、車両が有料道路の乗り継ぎのため退出する料金所が出口料金所Ｅであり、出口料金所Ｅを退出した車両が入口料金所Ｇから入場する場合にのみ割引料金が適用されるよう乗継入口料金所Ｇの車線制御装置４１のメモリに、出口料金所Ｅの料金所番号が割引対象の乗継出口料金所として予め登録されている。それ以外の入口料金所では、割引対象料金所の登録がなされていないため割引料金は適用されない。また短区間利用割引を行う出口料金所の車線制御装置４１のメモリには、割引対象となる入口料金所番号が登録されている。つまり、この料金テーブル３０は、有料道路の各料金所を基点とした割引対象の料金所情報としての料金所番号を記憶した割引対象料金所情報記憶手段である。
【００３７】
料金テーブル３０に設定されている基本料金として、車種が普通車の場合の通行料金は、利用距離に関係無く例えば￥６００などの一定額であり、大型車の通行料金は、利用距離に関係無く￥１２００などの一定額である。また、割引料金として、例えば乗継割引などの場合、３００円などが登録され、短距離利用割引の場合、払い戻し額として２００円などが登録されている。
車線制御装置４１は、アンテナ装置４２ａが車載器６より取得したＩＣカード挿抜前後のカード情報が一致し、かつアンテナ装置４２ａが車載器６から取得した前回利用の料金所情報が、料金テーブル３０に登録された割引対象の料金所情報に該当した場合、割引料金を適用して課金処理する。
【００３８】
図４に示すように、車載器６は、有料道路の出口及び入口の路側機（アンテナ装置４２ａ）と無線通信を行うアンテナ１４と、アンテナ１４を介した情報の送受信制御を行う無線制御部８４と、車両の搭乗者に対する操作案内や料金等を表示する表示部および複数のボタンからなる表示操作部９０と、ＩＣカード７ａの情報をインタフェース部７８を介して読み取り・書き込みを行うＩＣカード処理部８２と、車載器全体の制御を行う制御部８６と、ＩＣカード７ａから読み取ったカード情報（ＩＣカード固有の識別情報であるカードＩＤ、通行履歴情報、前回通行時料金所番号等）と予め設定されている車載器情報（車載器を識別（特定）するための固有情報としての車載器ＩＤ、搭載車両の車種を特定する車種要因情報等）を記憶するメモリ８０とから構成されている。
【００３９】
アンテナ１４は、ＩＣカード７ａに記憶されていたカード情報を取得するカード固有情報取得手段としての機能する。
メモリ８０には、車両の車種を特定する車種特定要因情報として、例えば車両の長さ、車色、軸数、重量、用途および特徴情報や車両固有に付与されている情報（車両のナンバープレート情報等）が登録されている。
【００４０】
車載器６にＩＣカード７ａが装着（セット）されると、ＩＣカード内部のカード情報が車載器６に読み込まれ、メモリ８０に一次記憶される。このカード情報は、路側機との無線通信時に車載器６のメモリ８０に予め登録されている車種特定要因情報および車載器情報と共に送信される。この車載器６は、有料道路の料金所の入口あるいは出口に設置されている路側機と無線通信を行い、路側機へ各種情報を送信し、路側機から受信された処理結果の情報を自身のメモリ８０とＩＣカード７ａに記憶するものである。
【００４１】
メモリ８０には、図７（Ａ）〜図７（Ｃ）に示すように、アンテナ１４により取得されたカード情報を記憶するための第１の記憶手段（通常処理用エリア７１）及び第２の記憶手段（不正防止用エリア７３）と、各料金所を通過時の通過情報（通過済み、未通過など）を記憶する第３の記憶手段（料金所通過情報エリア７５）などの複数の情報保持エリア（記憶エリア）が設けられている。
通常処理用エリア７１は、ＩＣカード７ａからアンテナ１４がカード情報を取得する毎に情報が随時書き換えられるカード情報処理のための記憶エリアである。不正防止用エリア７３は、カード装着時に料金所未通過の場合にＩＣカード７ａから取得したカード情報が保存されるカード情報保持エリアである。
【００４２】
料金所通過情報エリア７５は、入口料金所から有料道路内に新たに進入するとき、および所定の割引対象料金所（乗継出口料金所Ｅなど）から退出したときに「通過済み」を示すフラグが記憶される。
料金所通過情報エリア７５は、例えば図７（Ａ）に示すように、料金所通過前にＩＣカード７ａが挿入されたとき、及び通常の出口料金所から退出したとき、つまり一般道でのＩＣカード７ａ装着時には制御部８６により「未通過」を示すフラグが記憶される。
【００４３】
また、例えば図７（Ｂ）に示すように、割引非対象の入口料金所通過時または乗継出口料金所通過時、つまり一般道から有料道路内に進入したときと乗継出口退出時に制御部８６により「通過済み」を示すフラグが記憶される。
さらに、例えば図７（Ｃ）に示すように、有料道路内に進入した後にＩＣカード７ａが挿抜されたとき、つまり料金所通過後にＩＣカード７ａが入換えられたときには、制御部８６によって通常処理用エリア７１にだけ、入換えられたＩＣカード７ａのカード情報が記憶される。
【００４４】
図５に示すように、ＩＣカード７ａには、情報を記憶・読み出し可能なフラッシュメモリ９７、車載器６のインタフェース部７８との間でデータのやり取りを行うインタフェース部９８と、このインタフェース部９８およびフラッシュメモリ９７を制御するＣＰＵ９９とが設けられている。インタフェース部７８は、カード接続用の電極を有しており、この電極とＩＣカード７ａの電極とが接触することで互いが接続されて通信が可能になる。つまりこのＩＣカード７ａは接触型のＩＣカードである。
【００４５】
フラッシュメモリ９７には、例えばＩＣカード７ａがクレジットタイプであれば、カード情報の１つとしてＩＣカード契約情報が記憶されている。ＩＣカード契約情報は、契約者の金融機関情報（銀行の口座番号等）、特定の割引を適用するか否か等を示す特殊契約情報、および契約の有効期限等、有料道路の利用料金を引き落とすための決済情報、ＩＣカード７ａを特定するためのカード固有情報であるカードＩＤなどである。カード情報は、車両が料金所の入口ゲート（複数の入口車線のいずれか１つ）を通過する際に、車載器６を通じて路側機へ車載器情報と共に送信される。また、送信したカード情報の応答として路側機から返信されてきたゲート通過時刻、料金所ゲートを特定するためのゲート番号（料金所に入口車線と出口車線がそれぞれ１つしかない場合は料金所番号そのものとなる）、車両の車種等の通行履歴情報がカードＩＤに関連付けられてフラッシュメモリ９７に記憶される。入口ゲートとは車両通過用に複数列設された入口車線からなる入口処理のためのゲートを言い、料金所番号に枝番が付されたものである。
フラッシュメモリ９７は、図７（Ａ）〜（Ｃ）に示すように、割引対象料金所情報記憶手段としての通行履歴情報記憶エリア９６を有している。通行履歴情報記憶エリア９６には、例えば図７（Ａ）に示すように、料金所通過前に、前回通過時の料金所番号が記憶されている。また、通行履歴情報記憶エリア９６には、図７（Ｃ）に示すように、出口割引の対象となる所定の入口料金所で課金処理した結果として車載器６が得た割引対象の料金所番号等が記憶される。
【００４６】
ＩＣカード７ａのＣＰＵ９９は、ＩＣカード７ａが車載器６に装着されると、車載器６のＩＣカード処理部８２を介して制御部８６と信号のやり取りを行い、ＩＣカード７ａが装着される車載器６の正当性を確認して初めて車載器６側のメモリ８０にフラッシュメモリ９７に記憶されているカード情報を送る。
【００４７】
図６に示すように、ＩＣカード７ｂには、フラッシュメモリ６１、カード基材の表面に回巻して形成されたアンテナ６３、マイクロプロセッサユニット６５（以下ＭＰＵ６５と称す）などを備えている。
【００４８】
フラッシュメモリ６１とＭＰＵ６５はＩＣチップとして一体形成されている。フラッシュメモリ６１には、カードＩＤ番号等のカード固有の識別情報と、プリペイド金額情報（支払い可能な残額情報）、通行履歴情報、前回通行時料金所番号などがカード情報として記憶されている。通行履歴情報には、入口および出口の処理の際に特定された車両のナンバープレート番号等の車両情報、判別された車両の車種情報、入口で処理された入口情報、出口で処理された出口情報等の少なくとも１つが含まれている。入口情報は、入口ＩＣ名、入口ゲート番号、入口通過時刻、カード判定結果等である。出口情報は、出口ＩＣ名、出口ゲート番号、出口通過時刻、課金データ（引き去り額、払い戻し額）などある。フラッシュメモリ６１には、有料道路を利用するたびに支払い結果のデータを加算して集計したデータが利用履歴として記憶される。
【００４９】
以下、この料金収受システムの動作を説明する。なお、この料金収受システムが適用される有料道路は、図１の例と図２の例があるが、これらを共通に処理するものである。
【００５０】
まず、車両において、車載器６にＩＣカード７ａがセットされたときの車載器６の動作を説明する。ＩＣカード挿入時の車載器６の動作としては、カード装着時点ではカード情報の読み込みまでを行いＩＣカード７ａ自体の不正判定は行わない場合の第１の動作例と、カード入替え（挿抜）時のＩＣカード７ａの不正判定を行う場合の第２の動作例との２つがある。
【００５１】
第１の動作例の場合、ＩＣカード７ａが車載器６にセットされると、車載器６の制御部８６は、ＩＣカード７ａからカード情報を取得し（図８のstep１０１）、メモリ８０に展開する。カード情報には少なくともＩＣカード契約情報（カードＩＤ、有効期限など）が含まれている。
【００５２】
制御部８６は、ＩＣカード７ａ装着時にＩＣカード７ａから取得したカード情報に含まれるカードＩＤをキーにしてメモリ８０の料金所通過情報を確認する（step１０２）。
この確認の結果、メモリ８０の料金所通過情報が「未通過」となっていた場合（step１０２の「未通過」）、制御部８６は、ＩＣカード７ａから取得したカード情報をメモリ８０の通常処理用エリア７１と不正防止用エリア７３にそれぞれ保存する（step１０３）。
また、上記確認の結果、メモリ８０の料金所通過情報が「通過済み」となっていた場合（step１０２の「通過済み」）、制御部８６は、入換えられたＩＣカード７ａから取得したカード情報をメモリ８０の通常処理用エリア７１にだけ保存する（step１０４）。
【００５３】
第２の動作例の場合、ＩＣカード７ａが車載器６にセットされると、車載器６の制御部８６は、ＩＣカード７ａからカード情報を取得し（図９のstep２０１）、メモリ８０に展開する。
【００５４】
制御部８６は、ＩＣカード７ａから取得したカード情報に含まれるカードＩＤをキーにしてメモリ８０の料金所通過情報を確認する（step２０２）。
この確認の結果、メモリ８０の料金所通過情報が「未通過」となっていた場合（step２０２の「未通過」）、制御部８６は、ＩＣカード７ａから取得したカード情報を通常処理用エリア７１と不正防止用エリア７３に保存する（step２０３）。
【００５５】
また、確認の結果、メモリ８０の料金所通過情報が「通過済み」となっていた場合（step２０２の「通過済み」）、制御部８６は、入換えられたＩＣカード７ａからカード情報を取得し（step２０４）、取得したカード情報を通常処理用エリア７１に保存する。
【００５６】
カード情報を通常処理用エリア７１に保存した後、制御部８６は、通常処理用エリア７１に保存したカード情報に含まれるＩＣカード契約情報、例えばカードＩＤなどと、不正防止用エリア７３に保存されていたカード情報に含まれるＩＣカード契約情報、例えばカードＩＤなどとを比較する（step２０５）。なお比較はカードＩＤ以外に有効期限などのＩＣカード契約情報をすべて含めて行っても良い。
【００５７】
この比較の結果、互いが一致した場合（step２０５の一致）、制御部８６は、次のイベント発生までそのまま待機する一方、互いが不一致の場合（step２０５の不一致）、使用不可を示す音声案内および／または表示操作部９０にメッセージの表示を行う。音声案内の具体的手段としては、圧電ブザーなどを用いてビープ音を発生させても良く、また音声ＩＣとアンプ、スピーカなどで言葉のメッセージを音声発生しても良い。
【００５８】
次に、図１０を参照して入口料金所の料金収受システム（車線制御装置）の動作を説明する。
車線制御装置４１に電源を投入すると、車線制御装置４１は、初期設定処理（イニシャライズ処理など）を行い、料金テーブル３０を参照して自料金所が通常の入口か割引対象入口（乗継入口）かを判定する（step６０１）。
自料金所が通常の入口の場合（step６０１の通常入口）、車線制御装置４１は、料金テーブル３０の通常の料金(一定額)を参照して料金収受動作を行う。
また、自料金所が割引対象の乗継入口の場合（step６０１の乗継入口）、車線制御装置４１は、乗継入口として動作するようになる。
車線制御装置４１が起動した後、有料道路に入る車両がレーンに進入すると、センサ装置４３によって車両が検知されて、アンテナ装置４２ａから車両に対する無線通信が開始される。
【００５９】
ここで、車両がＥＴＣ車であれば、車両に搭載された車載器６から応答が返されるので、車線制御装置４１は、自レーンに進入した車両をＥＴＣ車として認識し、車載器６とアンテナ装置４２ａ間でのデータ通信処理（データの授受）により、ＩＣカード７ａのカード情報を含む車載器情報を取得する（step６０２，step６０３）。
この際、車線制御装置４１は、車載器情報として、通常処理用エリア７１のカード情報と不正防止用エリア７３のカード情報とを取得する。
【００６０】
なお、車両がＥＴＣ車で無いか、あるいは無線通信機能に障害が発生しているためアンテナ装置４２ａの無線エリア内で応答が返信されてこない場合、ＩＣカード７ｂでの処理か、または収受員対応での処理となるため、この場合、車線制御装置４１は、発進制御装置４４にレーンの出口の閉鎖を指示し、この指示により、発進制御装置４４は、レーンの出口のゲートを閉める。
【００６１】
データ通信処理は、車載器６からＥＴＣ車であることを示す車載器情報を送信し、その車載器情報を車線制御装置４１が受信する処理である。この車載器情報には、車両の車種を特定するための車種要因情報と、前回利用した料金所の情報（料金所番号、通過時刻、課金額など）が含まれている。
【００６２】
乗継入口の車線制御装置４１は、車載器６から取得した通常処理用エリア７１のカード情報と不正防止用エリア７３のカード情報とを比較する（step６０４）。
この比較の結果、互いのエリアのカード情報が一致した場合（step６０４の一致）、車線制御装置４１は、車載器６から取得したカード情報に含まれる通行履歴情報を基に直前に利用した出口料金所が割引対象か否かを確認する（step６０５）。例えば通行履歴情報に含まれる前回通過時の料金所番号が料金テーブル３０に設定されている割引対象料金所として登録されていた場合、割引対象とする。
【００６３】
この確認の結果、直前に利用した出口料金所が割引対象の料金所の場合（step６０５の割引対象）、車線制御装置４１は、車載器情報に含まれる車種特定要因情報を用いて車種を特定し（step６０６）、料金テーブル３０の該当車種に応じた割引料金を割り出し課金する（step６０７）。
車種に応じた通行料金の割り出しとは、均一料金といえども車両の種類（普通車と大型車）によって一定額に設定されている通行料金が異なるためである。
【００６４】
一方、自料金所が通常入口の場合、および上記step６０４の比較処理の結果が不一致の場合（step６０４の不一致）、車線制御装置４１は、車載器情報に含まれる車種特定要因情報を用いて車種を特定し（step６０８）、料金テーブル３０の該当車種に応じた通常の料金を割り出し課金する（step６０９）。
【００６５】
課金後、車線制御装置４１は、車載器６のメモリ８０の料金所通過情報エリア７５に「通過済み」を書き込む（step６１０）。
また、車線制御装置４１は、自身のメモリに設定されている自料金所番号を車載器６へ送信し、ＩＣカード７ａのフラッシュメモリ９７に、通行履歴情報として自料金所番号を書き込ませる（step６１１）。
【００６６】
次に、図１１を参照して出口料金所の料金収受システム（車線制御装置）の動作を説明する。
出口料金所の場合、車線制御装置４１に電源を投入すると、車線制御装置４１は、初期設定処理（イニシャライズ処理など）を行い、料金テーブル３０を参照して自料金所が割引対象出口か乗継出口）かを判定し（step５０１）、この判定結果に応じた処理を実行するようになる。
【００６７】
車線制御装置４１が起動した後、有料道路から退出する車両が出口料金所のレーンに進入すると、センサ装置４３によって車両が検知されて、アンテナ装置４２ａから車両に対する無線通信が開始される。
【００６８】
ここで、車両がＥＴＣ車であれば、車両に搭載された車載器６から応答が返されるので、車線制御装置４１は、自レーンに進入した車両をＥＴＣ車として認識し、車載器６とアンテナ装置４２ａ間でのデータ通信処理（データの授受）により、ＩＣカード７ａのカード情報を含む車載器情報を取得する。データ通信処理は、車載器６からＥＴＣ車であることを示す車載器情報を送信し、その車載器情報を車線制御装置４１が受信する処理である。この車載器情報には、車両の車種を特定するための車種要因情報と、前回利用した料金所の情報（料金所番号、通過時刻、課金額など）が含まれている。
【００６９】
この際、車線制御装置４１は、車載器情報として、通常処理用エリア７１のカード情報と不正防止用エリア７３のカード情報と通行履歴情報とを取得する。
なお、車両がＥＴＣ車で無いか、あるいは無線通信機能に障害が発生しているためアンテナ装置４２ａの無線エリア内で応答が返信されてこない場合、ＩＣカード７ｂでの処理か、または収受員対応での処理となるため、この場合、車線制御装置４１は、発進制御装置４４にレーンの出口の閉鎖を指示し、この指示により、発進制御装置４４は、レーンの出口のゲートを閉める。
【００７０】
自料金所が割引対象の出口の車線制御装置４１は（step５０１の割引出口）、車載器６との無線通信により得られた車載器情報に含まれる通行履歴情報と予めメモリに設定されている料金所の情報（割引対象入口料金所番号）を基に直前の入口料金所が割引対象か否かを判定する（step５０２）。
この判定の結果、自料金所が割引対象の出口の場合（step５０２の割引対象）、車線制御装置４１は、車載器６から取得した車載器情報に含まれる通常処理用エリア７１のカード情報と不正防止用エリア７３のカード情報とを抽出し（step５０３）、互いのエリアのカード情報を比較する（step５０４）。
【００７１】
この比較の結果、互いのエリアのカード情報が不一致の場合（step５０４の不一致）、または上記Ｓ５０２の判定処理で割引非対象の場合（step５０２の割引非対象）、車線制御装置４１は、車載器６から取得した車載器情報に含まれる車種特定要因情報を用いて車種（普通車か大型車か）を特定し（step５０５）、料金テーブル３０より該当車種に応じた通常料金（一定額）を割り出しＩＣカード７ａに課金する処理を行う（step５０６）。
【００７２】
また上記比較の結果、互いのエリアのカード情報が一致した場合（step５０４の一致）、車線制御装置４１は、車載器６から取得した車載器情報に含まれる車種要因情報を用いて車種（普通車か大型車か）を特定し（step５０７）、料金テーブル３０より該当車種に応じた割引料金を割り出しＩＣカード７ａに課金する処理を行う（step５０８）。
課金処理の後、車線制御装置４１は、車載器６のメモリ８０の料金所通過情報エリア７５に「未通過」を書き込む（step５０９）。
【００７３】
一方、Ｓ５０１の判定処理で、自料金所が乗継出口の場合（step５０１の乗継出口）、車線制御装置４１は、車載器６のメモリ８０の料金所通過情報エリア７５に「通過済み」を書き込む（step５１０）。
【００７４】
車載器６へ料金所通過情報を書き込み後、車線制御装置４１は、自身のメモリに設定されている自料金所番号を車載器６へ送信し、ＩＣカード７ａのフラッシュメモリ９７に、料金所番号を通行履歴情報として書き込ませる（step５１１）。
【００７５】
このようにこの実施形態の料金収受システムによれば、短区間利用割引や乗継割引などの割引サービスを実施する上で、割引処理を行う出口料金所または乗継入口料金所を車両が通過する際に、車載器６が保持している２つのカード情報（特にＩＣカード契約情報などのカード固有情報）を路側機が取得して比較することにより、非割引対象ルートにも関わらずＩＣカード７ａの入換えで割引対象ルートでの割引金額を適用してしまうのを防ぐことができる。
また、車載器６に複数のＩＣカード契約情報保持エリア（通常処理用エリア７１、不正防止用エリア７３など）を設け、ＩＣカード入換え時にいずれか１つのエリアを書換え、割引処理を行う料金所の車線制御装置４１にて複数のエリアの情報を読み出して互いを比較することで割引区間内における途中のＩＣカード７ａの入換え判定を行い、割引対象ルート成り代わりでの割引料金適用を防止することができる。
【００７６】
さらに、車載器６において、ＩＣカード７ａに記憶されていたカード情報を取得するアンテナ１４と、このアンテナ１４より取得されたカード情報を記憶するための通常処理用エリア７１及び不正防止用エリア７３と、料金所またはチェックバリアを「通過済み」か「未通過」かを示す通過情報が記憶された料金所通過情報記エリア７５とを設けたメモリ８０と、ＩＣカード７ａが装着されたとき、料金所通過情報記エリア７５の通過情報を確認し、「通過済み」の場合、通常処理用エリア７１にＩＣカード７ａから取得したカード情報を記憶する一方、「未通過」の場合は、通常処理用エリア７１及び不正防止用エリア７３にカード情報を記憶し、通常処理用エリア７１及び不正防止用エリア７３にそれぞれ記憶されたカード情報を比較し、互いのカード情報が不一致の場合、その旨を表示などで報知する制御部８６とを備えることで、ＩＣカード７ａの不正な入換えを車載器単独で検出および報知できる。
つまり、車載器６の料金所通過済情報を使用し、入換え時のＩＣカード契約情報（例えばカードＩＤなど）と車載器が保持しているＩＣカード契約情報を比較することにより、割引処理を行う料金所の制御装置で判断を行う必要が無くなり、ＩＣカード７ａを入換えたとき即時に不正を検出し、音声発生および／または表示するなどして報知するので、ＩＣカード７ａの不正な入換えを防止すると共に、ＩＣカード７ａが車載器６に誤挿入のまま料金所へ進入することを防止することができる。
また、車載器６がメモリ８０の通常処理用エリア７１にカード情報を保持する他に、料金所通過情報エリア７５に「通過済み」、「未通過」の情報を保持すると共に不正防止用エリア７３にカード情報を保持しておき、料金所通過時やＩＣカード入換え時に書き換え、車線制御装置４１へ通知しカード情報（カードＩＤなどのカード契約情報）の一致または不一致の判定を行う、または車載器６単独で判定を行うことで、ＩＣカード７ａの不正な入換えによる割引課金を防止することができる。
なお上記実施形態では、主にＩＣカード７ａを用いたシステムの動作について説明したが、出口割引対象の入口で割引対象の料金所番号を記憶することは、非接触式のＩＣカード７ｂでも実施できる。また、本実施形態の車載器６の記憶エリア（不正防止エリア）や料金所通過情報エリアと同様な記憶エリアをカード内のメモリに確保し、ＩＣカード７ｂにおいて、一方の情報を書き換えたときに、各エリアの情報を比較することで不正判定を行うことは、非接触式のＩＣカード７ｂでも同様に実施できる。
【図面の簡単な説明】
【００７７】
【図１】本発明の一つの実施形態の有料道路の料金所配置例を示す図。
【図２】本発明の一つの実施形態の有料道路の料金所配置例を示す図。
【図３】各料金所に配置される料金収受システムの構成を示す図。
【図４】車両に搭載される車載器の構成を示す図。
【図５】車載器に装着されるＩＣカードの構成を示す図。
【図６】非接触式のＩＣカードの構成を示す図。
【図７】（Ａ）料金所通過前における車載器のメモリとＩＣカードのフラッシュメモリの情報を示す図。（Ｂ）料金所通過時の割引非対象の入口または出口における車載器のメモリとＩＣカードのフラッシュメモリの情報を示す図。（Ｃ）料金所通過後における車載器のメモリとＩＣカードのフラッシュメモリの情報を示す図。
【図８】ＩＣカード挿入時の車載器の動作（不正判定無し）を示すフローチャート。
【図９】ＩＣカード挿入時の車載器の動作（不正判定有り）を示すフローチャート。
【図１０】入口料金所における料金収受システムの動作を示すフローチャート。
【図１１】出口料金所における料金収受システムの動作を示すフローチャート。
【符号の説明】
【００７８】
６…車載器、７ａ，７ｂ…ＩＣカード、１４…アンテナ、３０…料金テーブル、４１…車線制御装置、４２ａ，４２ｂ…アンテナ装置、４３…センサ装置、４４…発進制御装置、４５…車線監視盤、４６…料金収受端末、４７…データ処理装置、６１…フラッシュメモリ、６３…アンテナ、６５…マイクロプロセッサユニット（ＭＰＵ）、７１…通常処理用エリア、７３…不正防止用エリア、７５…料金所通過情報エリア、７８…インタフェース部、８０…メモリ、８２…カード処理部、８４…無線制御部、８６…制御部、９０…表示操作部、９７…フラッシュメモリ、９８…インタフェース部、Ａ…入口料金所、Ｂ…割引対象の入口料金所、Ｃ…出口料金所、Ｄ，Ｆ，Ｇ…入口料金所、Ｅ…乗継出口料金所、Ｆ…入口料金所、Ｇ…乗継入口料金所。
【図１】
2006236224.tif 000003
【図２】
2006236224.tif 000004
【図３】
2006236224.tif 000005
【図４】
2006236224.tif 000006
【図５】
2006236224.tif 000007
【図６】
2006236224.tif 000008
【図７】
2006236224.tif 000009
【図８】
2006236224.tif 000010
【図９】
2006236224.tif 000011
【図１０】
2006236224.tif 000012
【図１１】
2006236224.tif 000013